(57)【要約】【課題】  複数個のスピニングリールを一括して好適に展示することが可能なスピニングリールスタンドを提供する。【解決手段】  スピニングリールスタンドによりスピニングリール１を保管し、あるいは、展示するときには、支持板２２に形成された係合溝部２４にスピニングリール１におけるリールフィット１１の脚部１２を挿入する。これにより、リールフィット１１の下面と支持板２２の表面とが当接し、スピニングリール１が支持板２２により吊下される。このときには、支持板２２が水平方向に対して角度θだけ傾斜していることから、リールフィット１１は支持板２２の表面に沿って係合溝部２４の下端部に移動し、リールフィット１１の脚部１２は、係合溝部２４における面取り穴内に配置される。【選択図】        図２
2014140310.tif 000002
【特許請求の範囲】
【請求項１】
複数個のスピニングリールを展示するためのスピニングリールスタンドであって、
一対の側板と、前記一対の側板により上下方向に重畳する状態で支持された複数の支持板とを備え、
前記支持板は、水平方向に対して傾斜した状態で前記一対の側板に支持されるとともに、
前記支持板には、スピニングリールにおけるリールフィットの脚部を挿入することにより、リールフィットの下面と前記支持板とを当接させてスピニングリールを吊下するための複数個の係合溝部が、前記支持板の端縁から前記支持板の中央付近に向けて穿設されていることを特徴とするスピニングリールスタンド。
【請求項２】
請求項１に記載のスピニングリールスタンドにおいて、
前記支持板は、スピニングリールを当該支持板に吊下した状態においてスピニングリールのハンドルを回転させたときに、スピニングリールのベイルと前記支持板とが干渉しない角度で前記一対の側板に支持されるスピニングリールスタンド。
【請求項３】
請求項２に記載のスピニングリールスタンドにおいて、
前記支持板は、水平方向に対して５度から３５度の範囲で傾斜するスピニングリールスタンド。
【請求項４】
請求項３に記載のスピニングリールスタンドにおいて、
前記支持板の下面における前記係合溝部の先端部分には、面取りがなされるスピニングリールスタンド。
【請求項５】
請求項１から請求項４のいずれかに記載のスピニングリールスタンドにおいて、
前記側板および前記支持板は、透光性樹脂から構成されるスピニングリールスタンド。
【発明の詳細な説明】
【技術分野】
【０００１】
この発明は、複数個のスピニングリールを保管あるいは展示することが可能なスピニングリールスタンドに関する。
【背景技術】
【０００２】
スピニングリールを販売のため展示する場合においては、従来、スピニングリールは箱体に収納した状態で展示されている。このため、購買者がスピニングリールを手にとって操作するためには、スピニングリールを箱体から取り出すという煩雑な作業が必要となる。また、複数個のスピニングリールをテーブル等の展示台上に載置して展示することも可能であるが、スピニングリールが落下したり、相互に衝突したりして損傷を受ける場合がある。
【０００３】
特許文献１には、スピニングリールの展示時におけるデザインの向上を図るため、スピニングリールをリールシートに取り付けた状態で、リールシートの取り付け用脚部におけるリールシートのシート面に対向する取り付け面に、その取り付け面の全面を覆うカバー体を着脱自在に装着したスピニングリールが開示されている。
【先行技術文献】
【特許文献】
【０００４】
【特許文献１】実願平０３-９９８７２号（実開平０５−４８６６９号）のマイクロフィルム
【発明の開示】
【発明が解決しようとする課題】
【０００５】
特許文献１に記載されたスピニングリールは、展示時におけるデザインの向上を図ったものであるが、この特許文献１に記載のスピニングリールにおいても、梱包包装して展示されることが前提となっていることに変わりはない。
【０００６】
また、スピニングリールのコレクターは、自己の所有する複数のスピニングリールを、展示された状態と同様の状態で、保管することを望んでいる。この場合においても、商品販売の展示のためにスピニングリールを展示する場合と同様、箱体内に収納することなく、また、損傷の可能性を生ずることなく、複数のスピニングリールが展示、収納できることが好ましい。
【０００７】
そして、複数のスピニングリールを展示する場合には、スピニングリールの機能上、展示状態においてもハンドルの操作によりベイル部分が回転可能であることが好ましく、また、スプール部分を側方から観察可能な状態で展示することが好ましい。
【０００８】
この発明は上記課題を解決するためになされたものであり、複数個のスピニングリールを一括して好適に展示することが可能なスピニングリールスタンドを提供することを目的とする。
【課題を解決するための手段】
【０００９】
請求項１に記載の発明は、複数個のスピニングリールを展示するためのスピニングリールスタンドであって、一対の側板と、前記一対の側板により上下方向に重畳する状態で支持された複数の支持板とを備え、前記支持板は、水平方向に対して傾斜した状態で前記一対の側板に支持されるとともに、前記支持板には、スピニングリールにおけるリールフィットの脚部を挿入することにより、リールフィットの下面と前記支持板とを当接させてスピニングリールを吊下するための複数個の係合溝部が、前記支持板の端縁から前記支持板の中央付近に向けて穿設されていることを特徴とする。
【００１０】
請求項２に記載の発明は、請求項１に記載の発明において、前記支持板は、スピニングリールを当該支持板に吊下した状態においてスピニングリールのハンドルを回転させたときに、スピニングリールのベイルと前記支持板とが干渉しない角度で前記一対の側板に支持される。
【００１１】
請求項３に記載の発明は、請求項２に記載の発明において、前記支持板は、水平方向に対して５度から３５度の範囲で傾斜する。
【００１２】
請求項４に記載の発明は、請求項３に記載の発明において、前記支持板の下面における前記係合溝部の先端部分には、面取りがなされる。
【００１３】
請求項５に記載の発明は、請求項１から請求項４のいずれかに記載の発明において、前記側板および前記支持板は、透光性樹脂から構成される。
【発明の効果】
【００１４】
請求項１に記載の発明によれば、傾斜して配置された支持板における係合溝部にスピニングリールにおけるリールフィットの脚部を挿入することにより、複数個のスピニングリールを吊下した状態で展示することが可能となる。このとき、支持板が傾斜していることから、スピニングリールは、自重により係合溝部における下端部に移動する。そして、そのときの姿勢を、リールフィットと支持板に形成された係合溝部とが直交する方向とすることができることから、スピニングリールを、そのスプール部分を側方から観察可能な状態で展示することが可能となる。
【００１５】
請求項２および請求項３に記載の発明によれば、スピニングリールを支持板に吊下した状態においてスピニングリールのハンドルを回転させたときに、スピニングリールのベイルと支持板とが干渉しないことから、スピニングリールを展示した状態においてもスプールを回転させることが可能となる。
【００１６】
請求項４に記載の発明によれば、面取りの作用により、スピニングリールにおけるリールフィットの脚部が支持板における係合溝部と当接して損傷することを防止することが可能となる。
【００１７】
請求項５に記載の発明によれば、側板および支持板が透光性樹脂から構成されることから、展示されたスピニングリールを様々な方向から観察することが可能となる。
【図面の簡単な説明】
【００１８】
【図１】スピニングリールの側面図である。
【図２】この発明に係るスピニングリールスタンドをスピニングリール１とともに示す斜視図である。
【図３】この発明に係るスピニングリールスタンドをスピニングリール１とともに示す側面図である。
【図４】支持板２２の平面図である。
【図５】支持板２２の一部を裏面からみた斜視図である。
【発明を実施するための形態】
【００１９】
以下、この発明の実施の形態を図面に基づいて説明する。最初に、この発明に係るスピニングリールスタンドにより展示すべきスピニングリール１の構成について説明する。図１は、スピニングリール１の側面図である。
【００２０】
このスピニングリール１は、ハンドル１５を操作することによりローター１６を回転させ、ライン(釣り糸)をスプール１４の外周部に巻回する構成を有する。このとき、ラインはベイル１３によりスプール１４に対して案内される。スピニングリール１の本体は、リールフィット１１を介してロッド（釣り竿）のリールシートに装着される。リールフィット１１とスピニングリール１の本体とは、リールフィット１１の脚部１２により連結される。
【００２１】
次に、この発明に係るスピニングリールスタンドの構成について説明する。図２は、この発明に係るスピニングリールスタンドをスピニングリール１とともに示す斜視図であり、図３は、この発明に係るスピニングリールスタンドをスピニングリール１とともに示す側面図である。
【００２２】
この発明に係るこのスピニングリールスタンドは、複数個のスピニングリール１を一括して保管し、あるいは、展示するためのものであり、一対の側板２１と、これらの一対の側板２１により上下方向に重畳する状態で支持された２枚の支持板２２と、下側の支持板２２の下方において一対の側板２１に支持された連結板２３を備える。２枚の支持板２２および連結板２３は、一対の側板２１に穿設された孔部と支持板２２および連結板２３の側端縁に形成されたネジ穴とを利用して、図示を省略した樹脂製のネジにより、各側板２１に固定されている。これらの一対の側板２１、２枚の支持板２２および連結板２３は、いずれも、透光性樹脂から構成されている。
【００２３】
図３に示すように、各支持板２２は、その表面が水平方向に対して角度θだけ傾斜した状態で、一対の側板２１に支持されている。この角度θは、スピニングリール１を支持板２２に吊下した状態においてスピニングリール１のハンドル１５を回転させたときに、スピニングリール１のベイル１３と支持板２２の下面とが干渉しない角度となっている。この実施形態においては、この角度θは、約３０度となっている。また、連結板２３は、その表面が水平方向を向く状態で、２枚の支持板２２に支持されている。
【００２４】
図４は、支持板２２の平面図である。また、図５は、支持板２２の一部を裏面からみた斜視図である。
【００２５】
各支持板２２には、その端縁から中央付近に向けて、係合溝部２４が穿設されている。この係合溝部２４は、図２および図３に示すように、スピニングリール１におけるリールフィット１１の脚部１２を挿入することにより、リールフィット１１の下面と支持板２２の表面とを当接させてスピニングリール１を吊下するためのものである。
【００２６】
また、図４および図５に示すように、支持板２２の下面における係合溝部２４の先端部分には、ドリルにより形成された面取り穴２５が形成されている。この面取り穴２５により、支持板２２の下面には、図５に示すテーパー面２６が形成される。
【００２７】
このような構成を有するスピニングリールスタンドによりスピニングリール１を保管し、あるいは、展示するときには、図２および図３に示すように、支持板２２に形成された係合溝部２４にスピニングリール１におけるリールフィット１１の脚部１２を挿入する。これにより、リールフィット１１の下面と支持板２２の表面とが当接し、スピニングリール１が支持板２２により吊下される。このときには、支持板２２が水平方向に対して角度θだけ傾斜していることから、リールフィット１１は支持板２２の表面に沿って係合溝部２４の下端部に移動し、リールフィット１１の脚部１２は、係合溝部２４における面取り穴２５内に配置される。
【００２８】
この場合においては、支持板２２が傾斜していることと相俟って、スピニングリール１は、その自重により係合溝部２４の下端部で停止した状態となり、また、そのリールフィット１１と支持板２２に形成された係合溝部２４とが直交する方向とした状態とすることができる。このため、スピニングリール１は、図２および図３に示す状態となって、スピニングリール１を、そのスプール１４部分を側方から観察可能な状態で保管および展示することが可能となる。このとき、側板２１、支持板２２および連結板２３が透光性樹脂から構成されることから、スピニングリール１を様々な方向から観察することも可能となる。
【００２９】
そして、スピニングリール１におけるリールフィット１１の脚部１２は、係合溝部２４における面取り穴２５内に配置されることから、テーパー面２６の作用により、リールフィット１１の脚部１２が支持板２２における係合溝部２４と当接して損傷することを防止することが可能となる。このときのテーパー面２６の角度は、支持板２２の表面に対して４５度程度とすることが好ましい。
【００３０】
図２および図３に示すようにスピニングリール１が支持板２２から吊下された状態において、スピニングリール１のハンドル１５を回転させたときには、ベイル１３がローター１６とともに回転する。このときに、このスピニングリールスタンドにおいては、上述したように、支持板２２の角度が、スピニングリール１のベイル１３と支持板２２の下面とが干渉しない角度となっていることから、スピニングリール１を吊下した状態のままで、ベイル１３およびローター１６を回転させることが可能となる。この状態においても、スプール１４部分付近を側方から観察することが可能となる。
【００３１】
なお、スピニングリール１を支持板２２に吊下した状態においてスピニングリール１のハンドル１５を回転させたときに、スピニングリール１のベイル１３と支持板２２の下面とが干渉しないようにするためには、支持板２２の水平方向に対する角度θを、３５度以下とすることが好ましい。一方、この角度θを過度に小さくすると、スピニングリール１が係合溝部２４から脱落する可能性が生ずる。このため、支持板２２の水平方向に対する傾斜角度θは、５度から３５度の範囲とすることが好ましい。
【００３２】
以上のように、上述したスピニングリールスタンドは、透光性樹脂製の側板２１、支持板２２および連結板２３から構成されることから、針金等を利用して作成されたスタンド等と比較して、構成およびその組み立て工程を極めて簡易なものとすることが可能となる。そして、透光性樹脂製の側板２１、支持板２２および連結板２３を、ネジ等によって着脱自在とすることでその組み立てを容易とすることにより、搬送性を向上されることが可能となる。
【００３３】
なお、上述した実施形態に係るスピニングリールスタンドにおいては、２枚の支持板２２の各々に３個の係合溝部２４が形成されていることから、６個のスピニングリール１を保管および展示することができる。また、水平方向を向く連結板２３の上面に、その他のアイテムを載置して展示することが可能となる。なお、支持板２２をさらに多数にしてもよく、また、係合溝部２４の数を変更してもよい。
【符号の説明】
【００３４】
１      スピニングリール
１１    リールフィット
１２    脚部
１３    ベイル
１４    スプール
１５    ハンドル
１６    ローター
２１    側板
２２    支持板
２３    連結板
２４    係合溝部
２５    面取り穴
２６    テーパー面
【図１】
2014140310.tif 000003
【図２】
2014140310.tif 000004
【図３】
2014140310.tif 000005
【図４】
2014140310.tif 000006
【図５】
2014140310.tif 000007